(57)【要約】【課題】コンパクトな収納が可能であるとともに耐久性があり、デザイン性に優れる食器を提供する。【解決手段】スプーン１は、把持部材２と、食材に接触し、把持部材２に連結される接触部材５とを備える食器であって、木材と金属とが組み合わされて構成されており、把持部材２は、略平行に伸びた一対の脚部３ａ、３ａを有する略Ｕ字状の金属線材３と、一対の脚部３ａ、３ａに貫通して装着され、該一対の脚部３ａ、３ａの延伸方向にスライド可能な木製の移動部材４とを有し、接触部材５は、木製部材であり、金属線材３のＵ字状の両端部が挿入される一対の係合孔５ｃを有し、把持部材２における移動部材４のスライド位置に応じて、把持部材２が接触部材５から取り外し可能である。【選択図】図１
2022001167.tif 000002
【特許請求の範囲】
【請求項１】
把持部材と、食材に接触し、前記把持部材に連結される接触部材とを備える食器であって、
前記食器は、木材と金属とが組み合わされて構成されており、
前記把持部材および前記接触部材のうち一方の部材は、略平行に伸びた一対の脚部を有する略Ｕ字状の金属線材と、前記一対の脚部に貫通して装着され、該一対の脚部の延伸方向にスライド可能な木製の移動部材とを有し、
前記把持部材および前記接触部材のうち他方の部材は、木製部材であり、前記金属線材のＵ字状の両端部が挿入される一対の係合孔を有し、
前記食器は、前記一方の部材における前記移動部材のスライド位置に応じて、前記一方の部材が前記他方の部材から取り外し可能であることを特徴とする食器。
【請求項２】
前記一方の部材の前記移動部材を前記他方の部材から離間する方向にスライドさせた状態で、前記金属線材の両端部間の距離を変化させることで、前記一方の部材が前記他方の部材から取り外しされることを特徴とする請求項１記載の食器。
【請求項３】
前記食器を構成する木材の表面全体に保護塗膜が形成されていることを特徴とする請求項１または請求項２記載の食器。
【請求項４】
前記食器がスプーンまたはフォークであり、
前記接触部材は、前記食材に接触する接触部と、前記接触部と一体に形成された略矩形板状の基部とを有し、前記基部の両側面に前記一対の係合孔が対向して形成されていることを特徴とする請求項１から請求項３までのいずれか１項記載の食器。
【請求項５】
前記基部の両側面に、前記係合孔から前記接触部と反対側の端部に向かって凹溝が形成されていることを特徴とする請求項４記載の食器。
【請求項６】
前記食器が、一対の前記把持部材と一対の前記接触部材とを備えるトングであり、前記一対の把持部材同士が、略Ｕ字状の金属製の連結部材で連結されていることを特徴とする請求項１から請求項３までのいずれか１項記載の食器。
【発明の詳細な説明】
【技術分野】
【０００１】
本発明は、食器に関し、特にアウトドアでの使用に適した食器に関する。
【背景技術】
【０００２】
近年、キャンプや山登りといったアウトドアの人気が高まっている。アウトドア用品として、機能性に優れた様々な商品が市販されている。アウトドアでは、荷物が嵩張りやすいため、アウトドア用品には、コンパクトに収納できる機能が求められる。
【０００３】
例えば、コンパクトに収納できる食器として、折り畳み可能なフォークやスプーンなどが知られている。特許文献１には、柄本体の中途に屈折可能な屈折部を設け、フォーク本体側の前部と後部を重ね合わせ可能に構成することで、コンパクトな形態を可能にしたフォークが提案されている。また、特許文献２には、皿部の根本部分で折れ曲がり、さらに柄部分が伸縮可能なスプーンが提案されている。しかし、このような折り畳み可能な食器は樹脂製のものが多く、何度も折り畳み操作を行なうことによって屈折部（ヒンジ部）が破損してしまうおそれがある。また、アウトドアなどの野外での使用や持ち運びなどを考慮すると、食器自体の耐久性も求められる。
【０００４】
一方、近年のアウトドア用品の需要の高まりによって、食器自体のデザイン性もユーザにとって重要な要素となってきている。
【先行技術文献】
【特許文献】
【０００５】
【特許文献１】特開２０１４−２２６４６６号公報
【特許文献２】実用新案登録第３０４９３４０号
【発明の概要】
【発明が解決しようとする課題】
【０００６】
本発明は、このような事情に鑑みてなされたものであり、コンパクトな収納が可能であるとともに耐久性があり、デザイン性に優れる食器を提供することを目的とする。
【課題を解決するための手段】
【０００７】
本発明の食器は、把持部材と、食材に接触し、上記把持部材に連結される接触部材とを備える食器であって、上記食器は、木材と金属とが組み合わされて構成されており、上記把持部材および上記接触部材のうち一方の部材は、略平行に伸びた一対の脚部を有する略Ｕ字状の金属線材と、上記一対の脚部に貫通して装着され、該一対の脚部の延伸方向にスライド可能な木製の移動部材とを有し、上記把持部材および上記接触部材のうち他方の部材は、木製部材であり、上記金属線材のＵ字状の両端部が挿入される一対の係合孔を有し、上記食器は、上記一方の部材における上記移動部材のスライド位置に応じて、上記一方の部材が上記他方の部材から取り外し可能であることを特徴とする。
【０００８】
上記一方の部材の上記移動部材を上記他方の部材から離間する方向にスライドさせた状態で、上記金属線材の両端部間の距離を変化させることで、上記一方の部材が上記他方の部材から取り外しされることを特徴とする。
【０００９】
上記食器を構成する木材の表面全体に保護塗膜が形成されていることを特徴とする。
【００１０】
上記食器がスプーンまたはフォークであり、上記接触部材は、上記食材に接触する接触部と、上記接触部と一体に形成された略矩形板状の基部とを有し、上記基部の両側面に上記一対の係合孔が対向して形成されていることを特徴とする。  
【００１１】
上記基部の両側面に、上記係合孔から上記接触部と反対側の端部に向かって凹溝が形成されていることを特徴とする。
【００１２】
上記食器が、一対の上記把持部材と一対の上記接触部材とを備えるトングであり、上記一対の把持部材同士が、略Ｕ字状の金属製の連結部材で連結されていることを特徴とする。
【発明の効果】
【００１３】
本発明の食器は、把持部材と、食材に接触し、把持部材に連結される接触部材とを備える食器であって、木材と金属とが組み合わされて構成されている。具体的には、把持部材および接触部材のうち一方の部材が、略Ｕ字状の金属線材と木製の移動部材とを有し、他方の部材が木製部材であるので、木材と金属を程よく配置することで優れたデザインになり、特にアウトドアの場面に適したデザインとなる。さらに、一方の部材における移動部材のスライド位置に応じて、一方の部材が他方の部材から取り外し可能であるので、簡単な操作で食器を分解することができ、コンパクトな収納が可能となる。また、本発明の食器は、木材と金属からなり、従来の折り畳み可能な食器のような屈折部がなく、耐久性にも優れる。
【図面の簡単な説明】
【００１４】
【図１】本発明の食器の一例であるスプーンの全体構成を示す斜視図である。
【図２】図１のスプーンの把持部材を説明するための図である。
【図３】図１のスプーンの接触部材を説明するための図である。
【図４】本発明の食器の一例であるトングの全体構成を示す斜視図である。
【図５】図４のトングの接触部材を説明するための図である。
【図６】接触部材と把持部材の取り付けなどを説明するための図である。
【図７】移動部材の変形例を示す図である。
【発明を実施するための形態】
【００１５】
本発明の食器は、把持部材と、食材に接触し、把持部材に連結される接触部材とを備える形態であればよい。具体的な食器の形態としては、スプーン、フォーク、トングなどが挙げられる。以下には、図面を参照して、スプーンとトングの形態について説明する。
【００１６】
図１には、本発明に係るスプーンの斜視図を示す。図１に示すように、スプーン１は、手で把持する柄部分を構成する把持部材２と、食材に接触し、把持部材２に連結される接触部材５とを備える。スプーン１は、木材と金属が組み合わされて全体が構成されている。具体的には、把持部材２が木材および金属で構成され、接触部材５が木材で構成されている。木材と金属が程よく配置されることで、優れたデザインになる。図１のスプーンでは、接触部材５（特に皿部）を木材とすることで、金属の場合に比べて熱伝導率が低いため、例えば熱いスープなどを飲む際にも皿部が熱くなりにくい。スプーン１は、把持部材２と接触部材５の接合部で折り曲げて折り畳むことで、コンパクトな収納が可能であり、持ち運びも容易となる。また、把持部材２は接触部材５に対して着脱可能であり、各部材を互いに分離させることができる。
【００１７】
図２は把持部材の説明図であり、図２（ａ）は把持部材の平面図を示し、図２（ｂ）はＡ−Ａ線断面図を示す。図２（ａ）に示すように、把持部材２は、略Ｕ字状の金属線材３と木製の移動部材４を有する。金属線材３は、ばね性のある線材を一体的に曲げて形成されている。金属線材３は、略平行に延びた一対の脚部３ａ、３ａと、これら脚部を接続する接続部３ｂ（Ｕ字状の根本部分）と、Ｕ字状の両端部３ｃ、３ｃとを有する。ここで、一対の脚部３ａ、３ａが略平行とは、両者が平行な関係であるだけでなく、平行な関係からある程度ずれたものも包含される。一対の脚部３ａ、３ａ間の距離（金属線材の中心間の距離）は、１０ｍｍ〜３０ｍｍの範囲内にあることが好ましい。
【００１８】
金属線材３の両端部３ｃ、３ｃは、一対の脚部３ａ、３ａの接続部３ｂとは反対側の両端を互いに対向するように内側に折り曲げられた部分である。両端部３ｃ、３ｃの間には、数ｍｍ程度の隙間が形成されている。両端部３ｃ、３ｃは、後述する接触部材の一対の係合孔にそれぞれ挿入される。
【００１９】
金属線材３は、ばね性を有し、錆びにくい材質であることが好ましく、例えば、ステンレス材などを用いることができる。また、防錆性を付与するため、必要に応じて表面処理を施してもよい。金属線材３は断面が円形であり、その直径は、例えば１ｍｍ〜５ｍｍであり、１ｍｍ〜３ｍｍであることが好ましい。１ｍｍ〜３ｍｍの範囲内にすることで、弾性力と耐久性とを両立させやすくなる。
【００２０】
図２（ａ）、（ｂ）に示すように、移動部材４は、略直方体状の木製部材であり、側面には、一対の脚部３ａ、３ａが挿通される一対の貫通孔４ａ、４ａが形成されている。一対の貫通孔４ａ、４ａは互いに平行に形成されている。貫通孔４ａの孔径は、金属線材３が挿入可能な大きさであればよく、例えば金属線材３の直径よりも僅かに大きく形成される。移動部材４は、一対の脚部３ａ、３ａの延伸方向に沿ってＸ方向およびＹ方向へスライド可能になっている。一対の貫通孔４ａ、４ａ間の距離Ｄ、つまり貫通孔の中心間の距離（図２（ｂ）参照）は、１０ｍｍ〜３０ｍｍ程度である。図２において、距離Ｄは、移動部材４に拘束されていない一対の脚部３ａ、３ａ間の距離よりも僅かに小さくなっている。この構成のため、移動部材４をスライドさせることで、スライド位置における一対の脚部３ａ、３ａ間の距離が局部的に僅かに縮められる。このように、移動部材４は絞りとして機能する。
【００２１】
図３は接触部材の説明図であり、図３（ａ）は接触部材の斜視図を示し、図３（ｂ）はＢ−Ｂ線断面図を示す。図３（ａ）に示すように、接触部材５は、楕円形状の皿部５ａと、皿部５ａと一体に形成された基部５ｂとを有する。皿部５ａは掬い面が凹状に形成されている。基部５ｂは、所定の厚みおよび幅を有する板状に形成され、皿部５ａの厚みよりも肉厚に形成されている。基部５ｂの厚みは、例えば５ｍｍ〜１０ｍｍである。基部５ｂの両側面の厚み方向略中央には、係合孔５ｃがそれぞれ形成されている。
【００２２】
図３（ｂ）に示すように、一対の係合孔５ｃ、５ｃは、互いに対向するように内側に向かって形成されている。図３（ｂ）では、一対の係合孔５ｃ、５ｃは双方には貫通していないが、一対の係合孔５ｃ、５ｃ同士が貫通するように形成してもよい。係合孔５ｃの孔径は、上述の金属線材が挿入可能な大きさであればよく、上述の移動部材の貫通孔の孔径よりも大きいことが好ましい。一対の係合孔５ｃ、５ｃに金属線材の両端部が挿入されることで、把持部材が接触部材５に連結される。
【００２３】
また、基部５ｂの両側面には、凹溝５ｄが形成されている。凹溝５ｄは、係合孔５ｃから皿部５ａと反対側の端部に向かって形成されている。凹溝５ｄは、上述の金属線材の脚部の断面円形の一部が入り込むように形成されている。凹溝５ｄの断面形状は特に限定されないが、円弧溝であることが好ましい。凹溝５ｄを設けることで、接触部材５と把持部材２の位置関係を直線状に安定させることができ、例えば、スプーン使用時に、接触部材５に対して意図せずに把持部材２が折れ曲がることなどを防止できる。
【００２４】
接触部材５に対して把持部材２を取り付ける作業について、図１を用いて説明する。各部材が分離した状態で、まず、把持部材２の移動部材４を接続部３ｂ側（Ｙ方向）にスライドさせる。その状態で、金属線材３の両端部間の距離を拡げ、接触部材５の基部５ｂの両側面を挟み込むようにして一対の係合孔５ｃに挿入する。挿入後、移動部材４を接触部材５に接近する方向（Ｘ方向）にスライドさせる。Ｘ方向側にスライドさせることで、移動部材４の絞り効果によって、金属線材３の両端部の動きが拘束され、連結状態を安定して保持できる。なお、スプーン１の使用時の移動部材４の位置は、特に限定されず、ユーザが把持しやすいようにスライド位置を適宜調整することができる。
【００２５】
次に、通常時におけるスプーンの折り畳み作業について説明する。スプーン１を使用する場合、上記のとおり、移動部材４を接触部材５に接近する方向（Ｘ方向）にスライドさせておくことで、把持部材２と接触部材５とが安定して連結した状態で使用できる。スプーン１を収納する場合、把持部材２の移動部材４を接触部材５から離間する方向（Ｙ方向）にスライドさせる。一定以上スライドさせることで、金属線材３の両端部間の距離が少し広がる。この状態で、係合孔５ｃ、５ｃに挿入された金属線材３の両端部を軸として、把持部材２と接触部材５とを回動させることで、接触部材５の基部５ｂの両側面の凹溝５ｄから金属線材３の脚部が抜け出る。これにより、把持部材２と接触部材５との固定が外れ、折り畳んだ状態となる。この結果、スプーンの長さを容易に短くでき、収納面や持ち運び面で優れる。
【００２６】
最後に、接触部材５から把持部材２を取り外す作業について説明する。まず、把持部材２の移動部材４を接触部材５から離間する方向（Ｙ方向）にスライドさせる。スライドさせた状態で、金属線材３の両端部間の距離を拡げて該両端部を係合孔５ｃから抜き出すことで、接触部材５から把持部材２が取り外しされる。本発明に係るスプーン１は、接触部材５と把持部材２を分離可能であるので、洗浄を行いやすく、各部材を清潔に保つことができる。また、長期保管時などにおいては、スプーンの嵩張りを抑え、収納性を高めることができる。
【００２７】
図１のスプーン１において、接触部材５および移動部材４の木材には、一般に食器の素材として用いられる木材を使用でき、例えば、ヒノキ、スギ、ウォルナット、ラバーウッド、ビーチなどを用いることができる。
【００２８】
一方、素材に木材を用いる場合、食材の液分が木材に浸透し、汚れや色移りが生じるおそれがある。また、図１のスプーン１では、木材が金属と接触することから、腐食や傷みなども懸念される。そこで、接触部材５および移動部材４の表面全体を保護するため、保護塗膜を形成することが好ましい。保護塗膜としては、ウレタン塗膜などの樹脂塗膜やオイル塗膜を形成することが好ましい。特に、洗浄によって塗膜が剥がれることがなく、耐久性のあるウレタン塗膜を形成することが好ましい。なお、ウレタン塗膜は、一般的なウレタン塗料を用いた塗装方法によって形成することができる。
【００２９】
また、保護塗膜は、接触部材の基部の係合孔の内部まで形成することが好ましい。上記のとおり、係合孔は、木材に形成された孔であり、この孔には金属線材の端部が挿入されている。係合孔の部分は、折り畳み時や着脱時において木材と金属との繰り返し摺接や接触が起こり、また、固定時には移動部材のスライドによる応力が負荷される。このため、係合孔が通常の木材加工後の孔のままであると、摩耗やへたりが発生しやすくなるおそれがある。これに対して、係合孔の内部までウレタン塗膜などの保護塗膜を形成しておくことで、摩耗やへたりを保護できる。また、係合孔内は、水分が残留しやすいため、該孔の部分から木材やそこに係合している金属材が腐食することを抑制できる。
【００３０】
上記図１〜図３では、本発明の食器の一例としてスプーンについて説明したが、フォークの形態にも適用できる。この場合、スプーンの皿部の形状が、フォークの先端形状、つまり複数の歯を有する形状に変更される以外は、スプーンの構成と同様の構成を採用できる。
【００３１】
続いて、図４には、本発明の食器の一例である調理用トングを示す。図４は、調理用トングを載置面に置いた状態を示しており、図中下側が載置面側となる。図４に示すように、トング１１は、手で把持する部分を構成する一対の把持部材１５、１５と、食材に接触し、一対の把持部材１５、１５にそれぞれ連結される一対の接触部材１２、１２と、一対の把持部１５、１５同士を連結する連結部材１６とを備える。図４では、左右の把持部材１５、１５は左右対称の形状であるが、大きさや形状について、左右非対称の形状としてもよい。なお、一対の接触部材１２についても同様である。
【００３２】
図４のトング１１も、上述のスプーンと同様に、木材と金属が組み合わされて全体が構成されている。具体的には、接触部材１２が木材および金属で構成され、把持部材１５が木材で構成され、連結部材１６が金属で構成されている。このように、木材と金属が交互に配置されることで、デザイン性に優れた構成となる。また、図４のトングでは、食材を掴んだりする、接触部材１２の先端側が金属で構成されるため、生の食材を扱う場合などにも衛生的に好ましい。
【００３３】
連結部材１６は、帯状のステンレス材などを長さ方向の中央で折り返すことで略Ｕ字状に形成されている。そのＵ字状の先端部がそれぞれ、一対の把持部材１５、１５の根本側に固定されている。なお、ネジなどの固定具１６ａは金属で構成されている。トング１１は、通常の状態において、連結部材１６の弾性力により一対の接触部材１２、１２が開いた状態にある。食材を掴む際には、ユーザが一対の把持部材１５、１５を外側から握ることで、一対の接触部材１２、１２が閉じた状態になり、食材を掴むことができる。
【００３４】
把持部材１５は、ユーザの手に馴染みやすいように全体的に丸みを帯びた板状の木材からなっている。把持部材１５の載置面側の端面には窪み１５ｂが設けられており、指を引っ掛けやすくなっている。また、把持部材１５の先端側端面には、一対の係合孔１５ａ、１５ａが形成されている。把持部材１５の木材としては、上述のスプーンと同様に、一般に食器の素材として用いられる木材を使用でき、例えば、ヒノキ、スギ、ウォルナット、ラバーウッド、ビーチなどを用いることができる。また、上述のスプーンと同様に、表面全体にウレタン塗膜などの保護塗膜が形成されていることが好ましく、把持部材の係合孔の内部まで形成されていることが特に好ましい。なお、後述する木製の移動部材１４についても同様である。
【００３５】
図４のトング１１において、一対の接触部材１２、１２は一対の把持部材１５、１５に対して着脱可能であり、各部材を互いに分離させることができる。図５には、分離された接触部材１２を示す。
【００３６】
図５に示すように、接触部材１２は、略Ｕ字状の金属線材１３と木製の移動部材１４を有する。金属線材１３は、ばね性のあるステンレス材などの線材を一体的に曲げて形成されている。金属線材１３は、略平行に延びた一対の脚部１３ａ、１３ａと、これら脚部を接続する接続部１３ｂと、Ｕ字状の両端部１３ｃ、１３ｃとを有する。接続部１３ｂは、トングの先端部分に相当し、食材を直接掴んだりする部分である。図５では、食材を掴みやすく、また、掴んだ食材を落とさないようにするため、接続部１３ｂが幅方向（ＸＹ方向に対して直交する方向）に拡がった形状となっている。具体的には、載置面側に位置する脚部１３ａの延伸方向の延長線よりも載置面側に突出した突起部１３ｄが形成されている。なお、金属線材１３の直径は、上述の金属線材３と同様のサイズを採用できる。
【００３７】
移動部材１４は、略直方体状の木製部材であり、側面には、一対の脚部１３ａ、１３ａが挿通される一対の貫通孔１４ａ、１４ａが形成されている。一対の貫通孔１４ａ、１４ａは互いに平行に形成されている。貫通孔１４ａの孔径は、金属線材１３が挿入可能な大きさであればよく、例えば金属線材１３の直径よりも僅かに大きく形成される。移動部材１４は、一対の脚部１３ａ、１３ａの延伸方向に沿ってＸ方向およびＹ方向へスライド可能になっている。一対の貫通孔１４ａ、１４ａ間の距離は、１０ｍｍ〜３０ｍｍ程度である。移動部材１４は、上述の移動部材４と同様に絞りとして機能する。
【００３８】
トングにおいて、把持部材に対して接触部材を取り付ける作業などについて、図６に基づいて説明する。図６では、説明の便宜上、移動部材１４および把持部材１５は断面を示している。
【００３９】
各部材が分離した状態で、まず、接触部材１２の移動部材１４を接続部側（Ｙ方向）にスライドさせる。その状態で、金属線材の両端部１３ｃ、１３ｃ間の距離を調整して、金属線材の両端部１３ｃ、１３ｃを一対の係合孔１５ａ、１５ａに挿入する。一対の係合孔１５ａ、１５ａは互いに平行に形成されており、一対の係合孔１５ａ、１５ａ間の距離（係合孔の中心間の距離）は、一対の貫通孔１４ａ、１４ａ間の距離よりも大きく形成されている。また、係合孔１５ａの孔径は、移動部材１４の貫通孔１４ａの孔径よりも大きく形成されている。図６（ａ）の状態では、両端部１３ｃ、１３ｃは、金属線材の弾性力によって互いに接近するように作用し、係合孔１５ａ、１５ａの内側の壁面にそれぞれ押し付けられる。この状態は、両端部１３ｃ、１３ｃがこれらの間の肉部１５ｃを挟持した仮固定の状態である。
【００４０】
続いて、図６（ｂ）に示すように、移動部材１４を把持部材１５に接近する方向（Ｘ方向）にスライドさせる。Ｘ方向側にスライドさせることで、移動部材１４の絞り効果によって、両端部１３ｃ、１３ｃに一層大きな力が作用する。これにより、両端部１３ｃ、１３ｃがこれらの間の肉部１５ｃをより強固に挟持することで、金属線材が把持部材１５から抜けることを防止でき、トングを安定して使用することができる。
【００４１】
一方、把持部材１５から接触部材１２を取り外す際には、接触部材１２の移動部材１４を把持部材１５から離間する方向（Ｙ方向）にスライドさせる。つまり、図６（ａ）の状態にする。この状態で、金属線材の両端部１３ｃ、１３ｃ間の距離を拡げて両端部１３ｃ、１３ｃを一対の係合孔１５ａ、１５ａから引き抜くことで、把持部材１５から接触部材１２が取り外しされる。
【００４２】
上記のトングの構成では、さらに接触部材１２から移動部材１４を取り外すことができる。このように、各部材を分離可能であるので、洗浄を行いやすく、各部材を清潔に保つことができる。また、トングの長さ・嵩張りを抑え、収納性を高めることができる。
【００４３】
なお、接触部材１２の仮固定の状態は、図６（ａ）の構成に限らない。例えば、両端部１３ｃ、１３ｃが、金属線材の弾性力によって互いに離間するように作用して係合孔１５ａ、１５ａの外側の壁面に押し付けられて仮固定される構成としてもよい。この構成でも、移動部材１４の絞り効果によって、図６（ｂ）のように両端部１３ｃ、１３ｃで肉部１５ｃを挟持するようにすることができる。
【００４４】
本発明の食器に係るトングの構成は、図４〜図６の構成に限定されない。例えば移動部材について、上記では、図６に示すように一対の貫通孔１４ａ、１４ａを互いに平行に形成したが、他の構成としてもよい。例えば、図７に示すように、移動部材１４’において、一方の端面１４ｂから他方の端面１４ｃに向かって、一対の貫通孔１４ａ、１４ａの間の距離が縮まるように形成してもよい。使用時には、例えば、一方の端面１４ｂを図６のＹ方向側に向けて、移動部材１４’を金属線材に装着することができる。また、使用の都度、装着する向きを適宜入れ替えて使用してもよい。これにより、金属線材の弾性力が貫通孔の同じ箇所に繰り返し作用することを防止できる。
【産業上の利用可能性】
【００４５】
本発明の食器は、コンパクトな収納が可能であるとともに耐久性があり、デザイン性に優れるので、家庭用や携帯用の食器として幅広く利用できる。また、木材と金属が組み合わされて全体が構成されているので、お洒落な外観を有するとともに、自然の中での使用に調和し、特にアウトドア用の食器に適している。
【符号の説明】
【００４６】
１    スプーン（食器）
２    把持部材
３    金属線材
４    移動部材
５    接触部材
１１  トング（食器）
１２  接触部材
１３  金属線材
１４、１４’  移動部材
１５  把持部材
１６  連結部材
【図１】
2022001167.tif 000003
【図２】
2022001167.tif 000004
【図３】
2022001167.tif 000005
【図４】
2022001167.tif 000006
【図５】
2022001167.tif 000007
【図６】
2022001167.tif 000008
【図７】
2022001167.tif 000009